(57)【要約】【課題】下向きに打圧される前の楔状部材を安定して保持させておくことができる仮設足場用筋交を提供すること。【解決手段】筋交は、棒状の筋交本体１１の両端に、互いに並設される２本の支柱に設けられた連結枠に連結される連結部１２を有し、それぞれの連結部１２は、連結部本体１３と、連結部本体１３に結合され、連結枠に上から挿入される挿入部材１４と、連結部本体に取り付けられ、下向きに打圧された楔状部材１５が当接案内されることで楔状部材１５を連結枠の側へ移動案内させるための当接部材１６と、下向きに打圧される前の楔状部材１５を保持しておくための保持部３３と、を含んで構成され、この保持部３３は、連結部本体１３に設けられ、楔状部材１５には、保持部３３に係止されることでこの保持部３３によって楔状部材１５を保持しておくための係止部２９が設けられている。【選択図】図１０
2010018948.tif 000002
【特許請求の範囲】
【請求項１】
棒状の筋交本体と、この筋交本体の両端に設けられ、互いに並設される２本の仮設足場用支柱に設けられた連結枠に連結される連結部と、を有する仮設足場用筋交であって、
それぞれの前記連結部が、連結部本体と、この連結部本体に結合され、前記連結枠に上から挿入される挿入部材と、前記連結部本体に取り付けられ、下向きに打圧された楔状部材が当接案内されることによってこの楔状部材を前記連結枠の側へ移動案内させるための当接部材と、下向きに打圧される前の楔状部材を保持しておくための保持部と、を含んで構成されている仮設足場用筋交において、
前記保持部が前記連結部本体に設けられ、前記楔状部材には、前記保持部に係止されることによってこの保持部により前記楔状部材を保持しておくための係止部が設けられていることを特徴とする仮設足場用筋交。
【請求項２】
請求項１に記載の仮設足場用筋交において、前記係止部は、縦長形状となっている前記楔状部材の上下方向の中央部又は略中央部に設けられていることを特徴とする仮設足場用筋交。
【請求項３】
請求項１又は２に記載の仮設足場用筋交において、前記係止部は、前記楔状部材に下向きに開口して形成された凹部となっていることを特徴とする仮設足場用筋交。
【請求項４】
請求項１〜３のいずれかに記載の仮設足場用筋交において、前記保持部は、前記連結部本体の一部によって形成されていることを特徴とする仮設足場用筋交。
【請求項５】
請求項４に記載の仮設足場用筋交において、前記連結部本体は、前記楔状部材を上下に移動可能とする間隔を開けて互いに対面している２個の面状部を有しており、これらの面状部の間に前記筋交本体の端部と前記挿入部材が配置され、前記保持部は、前記２個の面状部のうち、少なくとも一方の面状部の一部を他方の面状部の側へ折り曲げることによって形成された折り曲げ部となっており、この折り曲げ部によって前記２個の面状部の間隔が規定されていることを特徴とする仮設足場用筋交。
【請求項６】
請求項５に記載の仮設足場用筋交において、前記折り曲げ部は前記２個の面状部のそれぞれに設けられ、これらの折り曲げ部の折り曲げ長さは同じであり、これらの折り曲げ部同士の先端が突き合わせられていることを特徴する仮設足場用筋交。
【請求項７】
請求項５又は６記載の仮設足場用筋交において、前記２個の面状部は、１個の板状材を折り返し加工することによって形成されていることを特徴とする仮設足場用筋交。
【請求項８】
請求項５又は６に記載の仮設足場用筋交において、前記２個の面状部は、２個の板状材によって形成されていることを特徴とする仮設足場用筋交。
【請求項９】
請求項１〜８のいずれかに記載の仮設足場用筋交において、前記筋交本体の両端に設けられている前記連結部における前記挿入部材は、前記連結部本体から下方へ延びる長さが異なっていることを特徴とする仮設足場用筋交。
【発明の詳細な説明】
【技術分野】
【０００１】
本発明は、建築現場や土木現場等の各種作業現場で構築される仮設足場のための筋交に係り、特に、互いに並設された２本の仮設足場用支柱に設けられた連結枠に楔状部材によって連結される仮設足場用筋交に関する。
【背景技術】
【０００２】
建築現場や土木現場等の各種作業現場において多数の支柱等で構築される仮設足場では、この仮設足場の強度を向上させるために、互いに並設された２本の仮設足場用支柱の間に斜めに架設される筋交が用いられる。このような仮設足場用筋交は、下記の特許文献１に示されており、この仮設足場用筋交は、棒状の筋交本体と、この筋交本体の両端に設けられ、互いに並設される２本の仮設足場用支柱に設けられた連結枠に連結される連結部と、を有するものとなっている。そして、それぞれの連結部は、連結部本体と、この連結部本体に結合され、仮設足場用支柱の連結枠に上から挿入される挿入部材と、連結部本体に取り付けられ、下向きに打圧された楔状部材が当接案内されることによってこの楔状部材を連結枠の側へ移動案内させるための当接部材と、を含んで構成されており、楔状部材が当接部材で連結枠の側へ移動案内されることにより、連結枠が挿入部材と楔状部材とで挟着され、これにより、筋交の両端の連結部が仮設足場用支柱の連結枠に連結される。
【０００３】
また、特許文献１の仮設足場用筋交には、下向きに打圧される前の楔状部材を保持しておくための保持部が設けられており、この保持部に保持させていた楔状部材を保持部から外し、楔状部材をハンマー等の工具で下向きに打圧することにより、当接部材に当接した楔状部材を連結枠の側へ移動案内させる作業を行えるようになっている。
【０００４】
そして、この保持部は、当接部材のテーブル状となっている上面によって形成されたものとなっており、楔状部材の下端が当接部材の上面に載せられることにより、下向きに打圧される前の楔状部材が保持されるようになっている。
【特許文献１】特開平１１−２２１８６号公報（００１１段落、００１９段落、図６）
【発明の開示】
【発明が解決しようとする課題】
【０００５】
特許文献１に示されている仮設足場用筋交の保持部は当接部材の上面によって形成されたものとなっているため、仮設足場用筋交の連結部に設けられる保持部の配置位置は、当接部材が配置された位置に限定されてしまうことになり、また、楔状部材の下端が当接部材の上面に載せられることにより、楔状部材が保持されるようになっているため、下向きに打圧される前の楔状部材を安定して保持させておくことは難しい。
【０００６】
本発明の目的は、下向きに打圧される前の楔状部材を安定して保持させておくことができるようになる仮設足場用筋交を提供するところにある。
【課題を解決するための手段】
【０００７】
本発明に係る仮設足場用筋交は、棒状の筋交本体と、この筋交本体の両端に設けられ、互いに並設される２本の仮設足場用支柱に設けられた連結枠に連結される連結部と、を有する仮設足場用筋交であって、それぞれの前記連結部が、連結部本体と、この連結部本体に結合され、前記連結枠に上から挿入される挿入部材と、前記連結部本体に取り付けられ、下向きに打圧された楔状部材が当接案内されることによってこの楔状部材を前記連結枠の側へ移動案内させるための当接部材と、下向きに打圧される前の楔状部材を保持しておくための保持部と、を含んで構成されている仮設足場用筋交において、前記保持部が前記連結部本体に設けられ、前記楔状部材には、前記保持部に係止されることによってこの保持部により前記楔状部材を保持しておくための係止部が設けられていることを特徴とするものである。
【０００８】
この仮設足場用筋交では、下向きに打圧される前の楔状部材を保持させておくための保持部は、連結部本体に設けられており、この連結部本体は、当接部材よりも大きい上下寸法及び左右寸法を有しているため、楔状部材を安定して保持しておくことができる保持部の配置位置を、連結部本体の形状や構造等に応じて任意に設定できることになり、また、楔状部材には、保持部に係止されることによって楔状部材を保持しておくための係止部が設けられているため、この係止部における係止によっても楔状部材を保持部に安定して保持しておくことができる。
【０００９】
本発明において、係止部における係止によっても楔状部材を保持部に安定して保持しておくことができるようにするためには、一例として、係止部を、縦長形状となっている楔状部材の上下方向の中央部又は略中央部に設けることができる。
【００１０】
これによると、楔状部材は、この楔状部材の下端が保持部に載せられることによって保持部に保持されるのではなく、縦長形状となっている楔状部材の上下方向の中央部又は略中央部に設けられた係止部を保持部に係止することにより、楔状部材は保持部に保持されることになるため、楔状部材を保持部に安定して保持させておくことができる。
【００１１】
また、係止部の形状は任意であり、この係止部の形状を、楔状部材に下向きに開口して形成された凹部とすることにより、楔状部材を保持部に一層安定して保持させておくことができる。
【００１２】
本発明において、連結部本体の形状及び構造は任意である。その一例は、連結部本体を、楔状部材を上下に移動可能とする間隔を開けて互いに対面している２個の面状部を有するものとし、これらの面状部の間に前述した筋交本体の端部と前述した挿入部材が配置されるようにし、保持部は、２個の面状部のうち、少なくとも一方の面状部の一部を他方の面状部の側へ折り曲げることによって形成された折り曲げ部とし、この折り曲げ部によって２個の面状部の間隔が規定されるようにすることである。
【００１３】
これによると、保持部は、２個の面状部のうち、少なくとも一方の面状部の一部を他方の面状部の側へ折り曲げることによって形成された折り曲げ部となっているため、保持部を、連結部本体を形成する２個の面状部のうち、少なくとも一方の面状部の一部によって形成でき、また、保持部となっている上記折り曲げ部によって２個の面状部の間隔が規定されるようになっているため、楔状部材を保持しておくための保持部により、筋交本体の端部と挿入部材が配置される２個の面状部の間隔を正確に設定できるようになる。
【００１４】
このように保持部を、２個の面状部のうち、少なくとも一方の面状部の一部を他方の面状部の側へ折り曲げることによって形成された折り曲げ部とする場合には、一方の面状部の一部だけを他方の面状部の側へ折り曲げてもよく、あるいは、折り曲げ部を２個の面状部のそれぞれに設け、これらの折り曲げ部の折り曲げ長さを同じとし、これらの折り曲げ部同士の先端を突き合わせてもよい。
【００１５】
後者によると、２個の面状部のそれぞれに折り曲げ部が形成され、これらの折り曲げ部の折り曲げ長さは同じになっているため、２個の面状部を形成するための作業を容易に行えるようになる。
【００１６】
また、本発明において、２個の面状部は、１個の板状材を折り返し加工することによって形成してもよく、あるいは、２個の板状材によって形成してもよい。
【００１７】
また、本発明において、筋交本体の両端に設けられている前述の連結部における前述の挿入部材は、連結部本体から下方へ延びる長さを同じにしてもよく、これらの長さを異ならせてもよい。
【００１８】
筋交本体の両端に設けられている連結部における挿入部材を、連結部本体から下方へ延びる長さが異なっているものとした場合には、本発明に係る筋交を、互いに並設された２本の仮設足場用支柱に斜めに架設するときに、それぞれの挿入部材を、これらの仮設足場用支柱に設けられた連結枠に同時に挿入するのではなく、連結部本体から下方へ延びる長さが長くなっている一方の挿入部材を一方の仮設足場用支柱の連結枠に挿入した後に、連結部本体から下方へ延びる長さが短くなっている他方の挿入部材を他方の仮設足場用支柱の連結枠に挿入することができるため、これらの挿入部材の連結枠への挿入作業を容易に行えるようになる。
【００１９】
なお、筋交本体の両端に設けられた連結部における挿入部材を、連結部本体から下方へ延びる長さが異なっているものとすることは、前述と異なり、保持部を連結部本体に設けず、また、楔状部材に、保持部に係止されることによってこの保持部により楔状部材を保持しておくための係止部を設けない場合にも、実施することができる。
【発明の効果】
【００２０】
本発明によると、下向きに打圧される前の楔状部材を安定して保持させておくことができるという効果を得られる。
【発明を実施するための最良の形態】
【００２１】
以下に本発明を実施するための形態を図面に基づいて説明する。図１は、本発明の一実施形態に係る仮設足場用筋交が用いられて構築された仮設足場の一部を示す正面図であり、図２は、図１のＳ２−Ｓ２線断面図である。
【００２２】
図１で示す仮設足場１は、互いに並設された２本の仮設足場用支柱２を含んで構成され、これらの支柱２の外周面には、図２で示されているように、連結ポイント３が設けられている。図１で示されているように、支柱２の高さ方向に複数設けられているこの連結ポイント３は、支柱２の円周方向に９０度間隔で配置された４個の連結枠４で構成されており、それぞれの連結枠４は、コ字状に屈曲させた板材の両端部を支柱２に溶接で結合することで形成されていて、上下に貫通したものとなっている。また、連結枠４は、支柱２に対して互いに反対側の位置であって同じ高さ位置に配置された２個で１組をなしており、２組の連結枠４のうち、一方の組の連結枠４Ａは、他方の組の連結枠４Ｂよりも高い位置に配置されている。
【００２３】
互いに並設された２本の支柱２の連結枠４Ａ同士の間には、図１で示す仮設足場用横架材５が水平に架設され、この架設は、横架材５の両端に設けられている楔状部材５Ａのそれぞれの支柱２の連結枠４Ａに上から打圧、挿入することにより、楔状部材５Ａの楔効果によって連結枠４Ａに楔状部材５Ａを連結することで行われ、これにより、互いに並設された２本の支柱２同士は、仮設足場用横架材５によって連結される。
【００２４】
また、互いに並設された２本の支柱２同士の間には、仮設足場１の強度を確保、向上されるために仮設足場用筋交１０が架設され、この架設は、２本の支柱２に上下にずれて配置されているそれぞれの連結ポイント３の連結枠４Ｂに筋交１０の両端部を連結することにより、２本の支柱２同士の間に筋交１０を斜めに架設することによって行われる。
【００２５】
筋交１０は、棒状の筋交本体１１と、この筋交本体１１の両端に設けられ、２本の支柱２の連結枠４Ｂに連結される連結部１２と、を有し、棒状の筋交本体１１はパイプ材で形成されている。また、それぞれの連結部１２は、連結部本体１３と、この連結部本体１３に結合され、連結枠４Ｂに上から挿入される挿入部材１４と、連結部本体１３に取り付けられ、下向きに打圧された楔状部材１５が当接案内されることにより、この楔状部材１５を連結枠４Ｂの側へ移動案内させるための当接部材１６と、を含んで構成されている。
【００２６】
図３〜図５は、図１で示されている筋交１０の両端に設けられた上下２個の連結部１２のうち、上側の連結部１２の連結部本体１３を示しており、図３は、正面図であり、図４は、連結枠４Ｂの側から見た側面図であり、図５は、平面図である。また、図７は、図１で示されている筋交１０の両端に設けられた上下２個の連結部１２のうち、下側の連結部１２の連結部本体１３の正面図である。筋交１０の上下両方の連結部１２は、後述する挿入部材１４の上下寸法を除き、左右対称の形状及び構造となっているため、以下では、筋交１０の上側の連結部１２について説明する。
【００２７】
図５に示されているように、連結部１２の連結部本体１３は、楔状部材１５を上下に移動可能とする間隔を開けて互いに対面している２個の面状部２０を有しており、これらの面状部２０は、本実施形態では、１個の板状材の折り返し加工によって形成されているため、連結部本体１３における連結枠４Ｂの側の端部は折り返し部２１となっており、この折り返し部２１によって２個の面状部２０が連結されている。また、図３から分かるように、連結部本体１３には、下面から上方へ切り込まれた切り込み部１３Ａが形成されており、筋交１０の上側の連結部１２を示している図９、及び筋交１０の下側の連結部１２を示している図１１に示されているように、２本の支柱２の連結枠４Ｂに挿入部材１４を上から挿入することにより２本の支柱２同士の間に筋交１０を架け渡す際に、この切り込み部１３Ａに、連結枠４Ｂの一部を形成している板状部４Ｃを挿入できるようになっている（図２も参照）。
【００２８】
図３及び図５から分かるとおり、２個の面状部２０の間には、切り込み部１３Ａよりも連結枠４Ｂの側において、挿入部材１４の上部が下から上に挿入され、この上部は２個の面状部２０に溶接で結合されている。この挿入部材１４の下部には、図３に示されているように、前述の筋交本体１１の側へ鉤状に突出した鉤状部１７が形成され、この鉤状部１７における折り返し部２１とは反対側の側面の下部は、言い換えると、この鉤状部１７における筋交本体１１の側の側面の下部は、傾斜面１７Ａとなっており、下側に向かって筋交本体１１とは反対側へ、すなわち連結枠４Ｂの側へ傾斜しているこの傾斜面１７Ａにより、連結枠４Ｂへの挿入部材１４の上からの挿入を、上記板状部４Ｃに対して挿入部材１４が円滑に滑って行えるようになっている。
【００２９】
なお、図５で示されているように、本実施形態の挿入部材１４の厚さは２個の面状部２０の間の隙間よりも小さくなっているため、２個の面状部２０のうち、挿入部材１４の配置位置と対応する部分２０Ａの間隔は加圧加工等によって狭められている。
【００３０】
また、図３のＳ６−Ｓ６線断面図である図６に示されているとおり、連結部本体１３を形成している２個の面状部２０には縦長の孔２２が形成され、これらの孔２２に前述の当接部材１６が２個の面状部２０に跨って挿入配置され、厚い板又はブロックで形成されているこの当接部材１６は、図３から分かるように、それぞれの面状部２０に溶接部２３で結合されている。また、全体的に縦長形状となっている当接部材１６は、２個の面状部２０が構成要素となっている連結部本体１３に鉛直に配置されておらず、下側に向かって連結枠４Ｂの側へ傾斜して配置されている。
【００３１】
そして、以上の連結部本体１３における当接部材１６の配置構造により、当接部材１６は、全体周囲が連結部本体１３に囲まれた状態でこの連結部本体１３に配置固定されていることになる。
【００３２】
図６に示されているとおり、連結部本体１３を形成している２個の面状部２０のそれぞれには、当接部材１６の上側において、折り曲げ部２４が形成されている。これらの折り曲げ部２４は、互いに向かい合う方向に折り曲げられている。言い換えると、一方の面状部２０に設けられている折り曲げ部２４が、他方の面状部２０の側へ折り曲げることにより形成されているとともに、他方の面状部２０に設けられている折り曲げ部２４が、一方の面状部２０の側へ折り曲げることにより形成されている。そして、両方の折り曲げ部２４の折り曲げ長さは同じとなっており、両方の折り曲げ部２４の先端同士は突き合わせられている。
【００３３】
このため、それぞれの折り曲げ部２４は、連結部本体１３の一部、具体的には、連結部本体１３を形成している２個の面状部２０の一部によって形成されている。また、両方の折り曲げ部２４の先端同士が突き合わせられることにより、２個の面状部２０の間の間隔が規定されており、この規定により、２個の面状部２０の間の間隔を、挿入部材１４、筋交本体１１の端部、さらには前述した楔状部材１５を挿入するための適正な大きさに設定することができるようになっている。
【００３４】
そして、それぞれの折り曲げ部２４の下部は、当接部材１６を挿入配置するためにそれぞれの面状部２０に形成された孔２２になっているため、これらの孔２２を形成するために面状部２０の一部を切り起し加工したときに生ずる切り起し片の一部により、折り曲げ部２４を形成することができるようになっている。
【００３５】
図２に示されているように、前述のパイプで形成されている筋交本体１１の両端部は押し潰し加工によって偏平部１１Ａとなっており、これらの偏平部１１Ａは、連結部本体１３を形成している２個の面状部２０の間に挿入され、当接部材１６に対して挿入部材１４とは反対側において２個の面状部２０の間に挿入されている偏平部１１Ａは、図９及び図１１に示されているように、連結部本体１３に対して所定の角度をなして連結部本体１３に溶接部２５で結合されている。
【００３６】
なお、筋交本体１１の偏平部１１Ａを連結部本体１３に溶接部２５で結合することは、以下のように行われる。すなわち、図１０と図１２で示されている偏平部１１Ａと連結部本体１３に共通して形成した貫通孔１８に、溶接治具に設けられているピンを挿入し、筋交本体１１と連結部本体１３のうち、一方を溶接治具に固定した後に、他方を溶接治具のピンを中心に回動させ、筋交本体１１が連結部本体１３に対して所定の角度となった後、筋交本体１１の偏平部１１Ａと連結部本体１３とを溶接部２５で結合する。
【００３７】
図３と図７で示されているとおり、筋交１０の両端の連結部１２に設けられている挿入部材１４は、連結部本体１３から下方へ延びる長さが同じとなっておらず、図３に示すように、筋交１０の上側の連結部１２に設けられている挿入部材１４Ａは、連結部本体１３から下方へ延びる長さがＬ１となっており、図７に示すように、筋交１０の下側の連結部１２に設けられている挿入部材１４Ｂは、連結部本体１３から下方へ延びる長さがＬ２となっており、Ｌ１はＬ２よりも長くなっている。
【００３８】
図８は、前述した楔状部材１５を示しており、図８（Ａ）は正面図であり、図８（Ｂ）は、前述した連結枠４Ｂの側から見た側面図である。楔状部材１５の上端部には、連結部本体１３を形成している２個の面状部２０の並び方向に突出し、これらの面状部２０の間の隙間の大きさよりも突出幅が大きくなった頭部２６が設けられている。また、楔状部材１５の下端部には孔２７が形成されており、楔状部材１５を、２個の面状部２０の間の隙間に上から挿入した後に、この孔２７にピン状の抜け止め部材２８が挿入固定される。この抜け止め部材２８の長さは、２個の面状部２０の間の隙間の大きさよりも長いため、２個の面状部２０の間の隙間に挿入された楔状部材１５は、連結部本体１３に頭部２６と抜け止め部材２８とによって抜け止めされて配置される。
【００３９】
また、図８（Ａ）に示されているように、楔状部材１５は、上部の幅広部１５Ａと、下部の幅狭部１５Ｂとからなり、これらの幅広部１５Ａと幅狭部１５Ｂとの間は、連結枠４Ｂ側への方向である左右方向への段差部１５Ｃとなっており、この段差部１５Ｃに、下向きに開口した凹部となっている係止部２９が形成されている。そして、この係止部２９は、縦長形状となっている楔状部材１５の上下方向の中央部又は略中央部に設けられている。
【００４０】
さらに、図８（Ａ）に示されているように、楔状部材１５の幅広部１５Ａにおける連結枠４Ｂとは反対側の側面は、傾斜面３０となっており、この傾斜面３０は、下側に向かって連結枠４Ｂの側へ傾斜している（図９及び図１１を参照）。また、楔状部材１５の幅狭部１５Ｂの下部における連結枠４Ｂの側の側面は、傾斜面３１となっており、この傾斜面３１は、下側に向かって連結枠４Ｂとは反対側へ傾斜している（図９及び図１１を参照）。そして、幅広部１５Ａの両方の面には、楔状部材１５の重量を軽量化するために、浅くて大きな面積で凹部３２が形成されている。
【００４１】
次に、図１で示されている２本の支柱２に筋交１０を架設するための作業について説明する。図９及び図１１は、筋交本体１１の両端部に設けられている上下両方の連結部１２を２本の支柱２の連結枠４Ｂに連結して２本の支柱２に筋交１０を架設した後を示しており、図１０及び図１２は、これらの連結部１２を連結枠４Ｂに連結する前を示している。
【００４２】
図１０及び図１２に示されているように、筋交本体１１の両端部に設けられている上下両方の連結部１２を２本の支柱２の連結枠４Ｂに連結する前は、楔状部材１５に下向きの凹部として形成されている係止部２９は、連結部本体１３に形成されていて、先端同士が突き合わせられている２個の折り曲げ部２４に係止されており、これにより、楔状部材１５は、連結部本体１３に保持されている。このため、２個の折り曲げ部２４により、楔状部材１５を連結部本体１３に保持しておくための保持部３３が連結部本体１３に形成されていることになる。
【００４３】
このように楔状部材１５を連結部本体１３に設けられている保持部３３に保持した状態で、筋交１０の上下両端の連結部１２に下向きに設けられているそれぞれの挿入部材１４を、図１、図９及び図１１に示されている２本の並設された支柱２の連結枠４Ｂに上から挿入する。この挿入作業は、それぞれの挿入部材１４についての連結部本体１３から下方へ延びる長さＬ１，Ｌ２が同じになっていないため、同時に行う必要がなく、上側の連結部１２に設けられている挿入部材１４Ａは、連結部本体１３から下方へ延びる長さがＬ１であって、下側の連結部１２に設けられている挿入部材１４Ｂは、連結部本体１３から下方へ延びる長さがＬ２であり、Ｌ１はＬ２よりも長くなっているため、上側の連結部１２に設けられている挿入部材１４Ａについての挿入作業を先に行うことができ、下側の連結部１２に設けられている挿入部材１４Ｂについての挿入作業を後に行うことができる。
【００４４】
このように本実施形態に係る筋交１０では、両方の挿入部材１４を２本の支柱２の連結枠４Ｂに上から挿入する作業を、同時に行うのではなく、時間差をもって行えるため、この挿入作業を容易に行えることになる。
【００４５】
また、前述したように、挿入部材１４の鉤状部１７における前述の筋交本体１１の側の側面の下部は傾斜面１７Ａとなっており、この傾斜面１７Ａは、下側に向かって筋交本体１１とは反対側へ傾斜しているため、この傾斜面１７Ａにより、連結枠４Ｂへの挿入部材１４の上からの挿入作業を、連結枠４Ｂの前述した上記板状部４Ｃに対して挿入部材１４が円滑に滑ることにより容易に行える。
【００４６】
次に、筋交１０の２個の連結部１２のうち、一方の連結部１２において、保持部３３に係止部２９を係止させることで連結部本体１３に保持させていた楔状部材１５を上に持ち上げることにより、この楔状部材１５を保持部３３から分離させ、この後に、楔状部材１５の下側の幅狭部１５Ｂを連結枠４Ｂと当接部材１６との間に上から挿入し直し、楔状部材１５の頭部２６をハンマー等の工具で下向きに打圧する。これにより、楔状部材１５は２個の面状部２０の間において上から下へ移動しながら、図９及び図１１に示されているように、楔状部材１５の幅広部１５Ａにおける傾斜面３０が、連結部本体１３に結合されている当接部材１６における連結枠４Ｂの側の傾斜した側面に当接案内され、この当接案内により、楔状部材１５は、下向きに移動しながら連結枠４Ｂの側へ移動案内されて、挿入部材１４と共に、連結枠４Ｂの前述した板状部４Ｃを挟着することとなる。
【００４７】
これにより、筋交１０の一方の連結部１２は、楔状部材１５の楔状作用により、一方の支柱２の連結枠４Ｂに連結されることになる。また、以上と同じ作業を、筋交１０の２個の連結部１２のうち、他方の連結部１２についても行うことにより、他方の連結部１２も、楔状部材１５の楔状作用により、他方の支柱２の連結枠４Ｂに連結されることになり、これにより、並設された２本の支柱２の間に筋交１０が斜めに架け渡されることになる。
【００４８】
なお、図９及び図１１では、楔状部材１５と連結枠４Ｂの板状部４Ｃとの間に左右方向の僅かな隙間が存在していることが示されているが、挿入部材１４や楔状部材１５の寸法、形状等を適宜に設定することにより、このような隙間を発生させずに、楔状部材１５と挿入部材１４とによって連結枠４Ｂの板状部４Ｃを挟着することもできる。
【００４９】
また、前述したように、楔状部材１５の幅狭部１５Ｂの下部における連結枠４Ｂの側の側面は、下側に向かって連結枠４Ｂとは反対側へ傾斜している傾斜面３１となっているため、楔状部材１５の頭部２６を下向きに打圧して楔状部材１５を下向きに移動させた際に、この傾斜面３１により、楔状部材１５を連結枠４Ｂの板状部４Ｃや挿入部材１４の鉤状部１７に対して円滑に滑らせることができる。
【００５０】
また、それぞれの連結部１２を支柱２の連結枠４Ｂから分離させて、筋交１０を２本の支柱２から取り外すときには、それぞれの楔状部材１５の下面をハンマー等の工具で上向きに打圧し、これにより、楔状部材１５を連結部本体１３に対して上昇させる。これにより、楔状部材１５と挿入部材１４とによる連結枠４Ｂの板状部４Ｃの挟着が解除されることになり、筋交１０全体を上へ持ち上げることにより、それぞれの連結部１２の挿入部材１４をそれぞれの支柱２の連結枠４Ｂから抜き取り、これらの連結部１２を連結枠４Ｂから分離させることにより、筋交１０を２本の支柱２から取り外すことができる。
【００５１】
このようにそれぞれの連結部１２を支柱２の連結枠４Ｂから分離させて、筋交１０を２本の支柱２から取り外した後は、それぞれの連結部本体１３に設けられている保持部３３に楔状部材１５の係止部２９を係止することにより、連結部本体１３に楔状部材１５を保持させておくことができる。
【００５２】
以上説明した本実施形態によると、下向きに打圧される前の楔状部材１５を保持させておくための保持部３３は、筋交１０の連結部１２の連結部本体１３に設けられており、この連結部本体１３は、当接部材１６よりも大きい上下寸法及び左右寸法を有しているため、楔状部材１５を安定して保持しておくことができる保持部３３の配置位置を、連結部本体１３の形状や構造等に応じて任意に設定できることになり、また、楔状部材１５には、保持部３３に係止されることによって楔状部材１５を保持しておくための係止部２９が設けられているため、この係止部２９における係止によっても楔状部材１５を保持部３３に安定して保持しておくことができる。
【００５３】
また、係止部２９は、縦長形状となっている楔状部材１５の上下方向の中央部又は略中央部に設けられているため、連結部本体１３を形成している２個の面状部２０の間の隙間に挿入されている楔状部材１５を一層安定して保持しておくことができる。
【００５４】
さらに、係止部２９は、楔状部材１５に下向きに開口して形成された凹部となっているため、連結部本体１３の保持部３３に係止部２９を係止することを、楔状部材１５自身の重量を利用することにより、安定して行えることになる。
【００５５】
また、保持部３３は、連結部本体１３を形成している２個の面状部２０のうちの一部を折り曲げた折り曲げ部２４によって形成されているため、連結部本体１３の材料を用いることによって保持部３３が連結部本体１３に設けられていることになり、したがって、保持部３３のための特別の部材を用意する必要がない。
【００５６】
また、それぞれの折り曲げ部２４の先端同士は突き合わせられているため、楔状部材１５を保持しておくための保持部３３により、筋交本体１１の端部と挿入部材１４が配置される２個の面状部２０の間隔を正確に設定することができる。
【００５７】
さらに、２個の面状部２０のそれぞれに設けられた折り曲げ部２４の折り曲げ長さは同じになっているため、２個の面状部２０を形成するための作業を容易に行える。
【００５８】
また、本実施形態では、連結部本体１３に取り付けられている当接部材１６は、この連結部本体１３を形成している２個の面状部２０に形成された孔２２に挿入されているため、当接部材１６は、この当接部材１６の全体が連結部本体１３で囲まれた状態となって連結部本体１３に取り付けていることになる。このため、楔状部材１５の頭部２６がハンマー等の工具で下向きに打圧されることにより、楔状部材１５の傾斜面３０が当接部材１６に当接案内されるときに当接部材１６に作用する荷重を、連結部本体１３によって有効に支持することができ、連結部本体１３による当接部材１５の支持強度を充分に大きくすることができる。
【００５９】
また、図１０及び図１２で説明したように、筋交本体１１の偏平部１１Ａと連結部本体１３とを溶接部２５で結合する作業は、偏平部１１Ａと連結部本体１３に共通して形成した貫通孔１８に、溶接治具に設けられているピンを挿入し、筋交本体１１と連結部本体１３のうち、一方を溶接治具に固定した後に、他方を溶接治具のピンを中心に回動させ、筋交本体１１が連結部本体１３に対して所定の角度となった後、筋交本体１１の偏平部１１Ａと連結部本体１３とを溶接部２５で結合するようにしているため、２本の支柱２に設けられている前述の連結ポイント３の上下の間隔等が異なっている仮設足場に用いる筋交については、図１０及び図１２に示されているように、前述の筋交本体１１とは長さが異なっている筋交本体１１’の偏平部１１Ａと連結部本体１３とに共通した貫通孔１８を形成し、この貫通孔１８に溶接治具のピンを挿入した後に、筋交本体１１’と連結部本体１３のうち、一方を溶接治具に固定して他方を溶接治具のピンを中心に回動させ、筋交本体１１’が連結部本体１３に対して所定の角度となった後、筋交本体１１’の偏平部１１Ａと連結部本体１３とを溶接部２５で結合する作業を行うことができる。
【００６０】
これにより、それぞれの連結部１２を同じ部材によって構成していながら、筋交本体１１，１１’の長さが異なり、かつ筋交本体１１，１１’と連結部本体１３とがなす角度が異なっている各種の筋交を容易に製造することができる。
【００６１】
なお、以上の実施形態では、図３、図４及び図７に示されているように、挿入部材１４の上端は連結部本体１３の上面まで達しておらず、したがって、連結部本体１３の内部には、挿入部材１４の上側において空間部が形成されていたが、この空間部をなくすために、挿入部材１４の上下長さを長くすることによって挿入部材１４の上端を連結部本体１３の上面まで延出させてもよい。これによると、連結部１２を連結枠４Ｂに連結するために楔状部材１５を前述のようにハンマー等の工具で下向きに打圧したとき、連結枠４Ｂの板状部４Ｃが楔状部材１５からの荷重によって連結枠４Ｂの内側へ変形することを防止することができる。
【００６２】
図１３〜図１５は、本発明に係る別実施形態の筋交１１０を示しており、図１３は、この筋交１１０における上側の連結部１２を示し、図１４は、筋交１１０における下側の連結部１２を示している。また、図１５は、図１３のＳ１５−Ｓ１５線断面図である。
【００６３】
この実施形態の筋交１１０も、前述の実施形態の筋交１０と同じく、棒状の筋交本体１１と、この筋交本体１１の両端に設けられ、２本の支柱２の連結枠４Ｂに連結される連結部１２と、を有し、棒状の筋交本体１１はパイプ材で形成されている。また、それぞれの連結部１２は、連結部本体１３と、この連結部本体１３に取り付けられ、下向きに打圧された楔状部材１５が当接案内されることにより、この楔状部材１５を連結枠４Ｂの側へ移動案内させるための当接部材１６と、を含んで構成されている。
【００６４】
そして、この実施形態に係る筋交１１０の上下両方の連結部１２の連結部本体１３は、図１５に示されているように、２個の面状部１２０で形成されているとともに、楔状部材１５を上下に移動可能とする間隔を開けて互いに対面しているこれらの面状部１２０は、前記実施形態の筋交１０と異なり、互いに個別となっている２個の板状材によって形成されており、そして、これらの板状材の間に挿入部材１１４と筋交本体１１の偏平部１１Ａとが配置され、これらの板状材と挿入部材１１４、及びこれらの板状材と筋交本体１１の偏平部１１Ａが溶接されることにより、２個の面状部１２０を形成している２個の板状材が、挿入部材１１４と筋交本体１１の偏平部１１Ａを介して結合されている。
【００６５】
また、この実施形態に係る筋交１１０でも、上下２個の連結部１２における挿入部材１１４は、連結部本体１３から下方へ延びる長さが異なっており、上側の連結部１２における挿入部材１１４Ａについての連結部本体１３から下方へ延びる長さは、下側の連結部１２における挿入部材１１４Ｂについての連結部本体１３から下方へ延びる長さよりも長くなっている。
【００６６】
また、この実施形態に係る筋交１１０でも、２個の面状部１２０のそれぞれに折り曲げ部２４が形成されており、折り曲げ長さが同じになっていて先端同士が突き合わせられているこれらの折り曲げ部２４により、下向きに打圧される前の楔状部材１５の係止部２９が係止されることによって楔状部材１５を保持しておくための保持部３３が連結部本体１３に設けられている。
【００６７】
前記実施形態の筋交１０のように、２個の面状部２０を１個の板状材の折り返しで形成するのではなく、この実施形態の筋交１１０のように、２個の面状部１２０を２個の板状材で形成するようにすると、板状材の折り返し加工を省略できるため、それだけ加工作業工数を削減でき、加工コストを低減することができる。
【００６８】
また、この実施形態に係る筋交１１０の連結部本体１３の面状部１２０には、図３及び図７で示した面状部２０の切り込み部１３Ａに相当するものがなく、図３及び図７では切り込み部１３Ａよりも前述の連結枠４Ｂの側に存在し、挿入部材１４の上部が結合されていた面状部２０の部分に相当する部分も存在していない。
【００６９】
このため、この実施形態に係る筋交１１０の面状部１２０の形状はそれだけ単純化されており、このため、これらの面状部１２０をプレスによる打ち抜き加工等によって容易に形成することができる。
【産業上の利用可能性】
【００７０】
本発明は、建築現場や土木現場等の各種作業現場で構築される仮設足場のための筋交に利用することができる。
【図面の簡単な説明】
【００７１】
【図１】図１は、本発明の一実施形態に係る仮設足場用筋交が用いられて構築された仮設足場の一部を示す正面図である。
【図２】図２は、図１のＳ２−Ｓ２線断面図である。
【図３】図３は、図１及び図２で示されている筋交の上側の連結部の連結部本体を示す正面図である。
【図４】図４は、図１及び図２で示されている筋交の上側の連結部の連結部本体を示す側面図である。
【図５】図５は、図１及び図２で示されている筋交の上側の連結部の連結部本体を示す平面図である。
【図６】図６は、図３のＳ６−Ｓ６線断面図である。
【図７】図７は、図１及び図２で示されている筋交の下側の連結部の連結部本体を示す正面図である。
【図８】図８は、楔状部材を示す図であり、図８（Ａ）は、楔状部材の正面図であり、図８（Ｂ）は、楔状部材の側面図である。
【図９】図９は、図１及び図２で示されている筋交本体の上側の端部に設けられた連結部を仮設足場用支柱の連結枠に連結した後を示すその連結部の部分の拡大正面図である。
【図１０】図１０は、図９の連結部が仮設足場用支柱の連結枠に連結される前を示すその連結部の部分の拡大正面図である。
【図１１】図１１は、図１及び図２で示されている筋交本体の下側の端部に設けられた連結部を仮設足場用支柱の連結枠に連結した後を示すその連結部の部分の拡大正面図である。
【図１２】図１２は、図１１の連結部が仮設足場用支柱の連結枠に連結される前を示すその連結部の部分の拡大正面図である。
【図１３】図１３は、別実施形態に係る筋交を示す図９と同様の図である。
【図１４】図１４は、図１３の実施形態に係る筋交を示す図１１と同様の図である。
【図１５】図１５は、図１３のＳ１５−Ｓ１５線断面図である。
【符号の説明】
【００７２】
１  仮設足場
２  仮設足場用支柱
４  連結枠
１０，１１０  仮設足場用筋交
１１，１１’  筋交本体
１２  連結部
１３  連結部本体
１４，１１４  挿入部材
１５  楔状部材
１６  当接部材
２０，１２０  面状部
２１  折り返し部
２４  折り曲げ部
２９  係止部
３３  保持部
【図１】
2010018948.tif 000003
【図２】
2010018948.tif 000004
【図３】
2010018948.tif 000005
【図４】
2010018948.tif 000006
【図５】
2010018948.tif 000007
【図６】
2010018948.tif 000008
【図７】
2010018948.tif 000009
【図８】
2010018948.tif 000010
【図９】
2010018948.tif 000011
【図１０】
2010018948.tif 000012
【図１１】
2010018948.tif 000013
【図１２】
2010018948.tif 000014
【図１３】
2010018948.tif 000015
【図１４】
2010018948.tif 000016
【図１５】
2010018948.tif 000017